(57)【要約】【課題】より確実に鮮明な画像情報を容易に得ることができる画像読取装置を提供すること。【解決手段】原稿３を載置する原稿台５を覆うことにより原稿台５に照射される光の一方向の成分のみを透過する第１偏光フィルタ１０を設ける。これにより、画像読取装置１の外部から原稿台５方向に照射される光の一方向の成分のみを透過することができる。また、原稿台５とカメラ２０との間には、原稿３で正反射した光の成分の方向と交差する方向の成分のみを透過する第２偏光フィルタ１８を設ける。これにより、第１偏光フィルタ１０を透過して原稿３で正反射した光はカメラ２０に届かなくなる。一方、第１偏光フィルタ１０を透過し、原稿３で拡散反射した光は第２偏光フィルタ１８を透過するので、カメラ２０で撮像することができる。従って、光源となる照明手段を設けることなく、画像読取装置１の外部から照射される光を用いて、原稿３を容易に撮像することができる。【選択図】        図１
2009141511.tif 000002
【特許請求の範囲】
【請求項１】
被写体を載置可能な載置部と、
前記載置部に載置された前記被写体を撮像可能な撮像手段と、
前記載置部に対して前記被写体の載置及び除去が可能な開口部を有すると共に前記開口部以外の部分は前記載置部を覆って前記載置部に照射される光の一方向の成分のみを透過する第１偏光手段と、
前記載置部と前記撮像手段との間に設けられており、且つ、前記第１偏光手段を透過した前記光のうち前記被写体で正反射した前記光である第１偏光正反射光が入射する際に前記第１偏光正反射光の成分の方向と交差する方向の成分のみを透過する第２偏光手段と、
を備えることを特徴とする画像読取装置。
【請求項２】
前記第１偏光手段は、前記載置部に照射される前記光が前記被写体で正反射する場合における正反射光のうち前記撮像手段で撮像可能に正反射する前記正反射光の反射前の前記光の進行範囲である正反射前光進行範囲に設けられていることを特徴とする請求項１に記載の画像読取装置。
【請求項３】
前記第１偏光手段が有する前記開口部は、前記正反射前光進行範囲外に形成されていることを特徴とする請求項２に記載の画像読取装置。
【発明の詳細な説明】
【技術分野】
【０００１】
本発明は、画像読取装置に関するものである。特に、この発明は、載置部に置かれた被写体をカメラなどの撮像手段によって撮像する画像読取装置に関するものである。
【背景技術】
【０００２】
従来の画像読取装置では、カメラなどの撮像手段を用いて被写体を撮像することにより、被写体の画像情報を取得する。しかし、被写体が光を正反射しやすい材質を含んでいる場合、正反射した光がカメラに向かって反射する虞がある。この場合、カメラが正反射光を撮像してしまい、正反射光が白飛びとなって表れるため、被写体の鮮明な画像情報を得るのが困難になる虞がある。そこで、従来の画像読取装置では、カメラに正反射光が向かうことを抑制しているものがある。
【０００３】
例えば、特許文献１に記載の錠剤検査装置では、照明手段である照明装置と、被写体である錠剤との間に第１の偏光フィルタを設け、さらに、撮像手段であるカメラと錠剤との間に第２の偏光フィルタを設けている。これにより、錠剤に対しては、第１の偏光フィルタで一定の偏光角に偏光された光で照射することができ、錠剤の包材で正反射した光は第２の偏光フィルタで遮ることができるため、カメラで正反射光を撮像することを抑制できる。この結果、鮮明な画像情報を得ることができる。
【０００４】
【特許文献１】特許第２９２１９２２号公報
【発明の開示】
【発明が解決しようとする課題】
【０００５】
しかしながら、特許文献１に記載の錠剤検査装置では、画像情報を得る際に被写体に光を照射する照明手段が必要であるため、装置が複雑化する虞があった。また、被写体に光を照射する光源としては、例えば、画像読取装置が設けられた部屋の室内灯など、画像読取装置の外部から照射される光である外部光を用いることも考えられるが、外部光を用いた場合でも、外部光が被写体に正反射する虞がある。
【０００６】
この場合、正反射光は撮像手段の方向に反射する虞があり、正反射光が撮像手段の方向に反射した場合には、撮像手段は正反射光を撮像してしまうため、被写体の鮮明な画像情報を得るのが困難になる虞があった。また、このように、光源として外部光を用いた場合における正反射光の撮像手段の方向への反射を抑制するためには、外部光の方向と画像読取装置との位置関係を調整する必要があり、画像読取装置で外部光を撮像することなく鮮明な画像情報を得るのは、大変困難なものとなっていた。
【０００７】
本発明は、上記に鑑みてなされたものであって、より確実に鮮明な画像情報を容易に得ることができる画像読取装置を提供することを目的とする。
【課題を解決するための手段】
【０００８】
上述した課題を解決し、目的を達成するために、この発明に係る画像読取装置は、被写体を載置可能な載置部と、前記載置部に載置された前記被写体を撮像可能な撮像手段と、前記載置部に対して前記被写体の載置及び除去が可能な開口部を有すると共に前記開口部以外の部分は前記載置部を覆って前記載置部に照射される光の一方向の成分のみを透過する第１偏光手段と、前記載置部と前記撮像手段との間に設けられており、且つ、前記第１偏光手段を透過した前記光のうち前記被写体で正反射した前記光である第１偏光正反射光が入射する際に前記第１偏光正反射光の成分の方向と交差する方向の成分のみを透過する第２偏光手段と、を備えることを特徴とする。
【０００９】
この発明では、被写体を載置する載置部を覆うことによって載置部に照射される光の一方向の成分のみを透過する第１偏光手段が設けられているため、画像読取装置の外部から載置部に向けて照射される光の一方向の成分のみを透過する、即ち、偏光することができる。さらに、載置部と撮像手段との間には、被写体で正反射した第１偏光正反射光の成分の方向と交差する方向の成分のみを透過する第２偏光手段が設けられている。このため、第１偏光正反射光が第２偏光手段に入射した際には、第１偏光正反射光は大部分が第２偏光手段を透過することができなくなる。これにより、第１偏光正反射光は撮像手段に届かなくなるので、撮像手段で撮像されなくなる。従って、撮像手段には被写体で正反射した正反射光が到達しなくなるので、撮像手段で被写体を撮像した際に、鮮明な画像情報を得ることができる。
【００１０】
また、載置部を第１偏光手段で覆っているため、この第１偏光手段と第２偏光手段との作用により、画像読取装置の外部から載置部に向かい、被写体で正反射した第１偏光正反射光は撮像手段に到達させなくなることができる一方、被写体で拡散反射した光は、第２偏光手段を透過することができる。これにより、撮像手段は、この被写体で拡散反射した光で被写体を撮像することができる。従って、光源となる照明手段を設けることなく、画像読取装置の外部から照射される光を用いて、被写体を容易に撮像することができる。また、第１偏光手段には開口部を設けているので、被写体を容易に載置部に載置し、撮像手段で撮像することができる。これらの結果、より確実に鮮明な画像情報を容易に得ることができる。
【００１１】
また、この発明に係る画像読取装置は、前記第１偏光手段は、前記載置部に照射される前記光が前記被写体で正反射する場合における正反射光のうち前記撮像手段で撮像可能に正反射する前記正反射光の反射前の前記光の進行範囲である正反射前光進行範囲に設けられていることを特徴とする。
【００１２】
この発明では、第１偏光手段はこのような正反射前光進行範囲に設けられているため、撮像手段で撮像可能に正反射することができる方向に進行する光を、被写体で正反射する前に偏光することができる。これにより、被写体で正反射した正反射光は、第１偏光手段で偏光した後の正反射光である第１偏光正反射光になるため、より確実に第２偏光手段で遮ることができる。これらの結果、より確実に鮮明な画像情報を得ることができる。
【００１３】
また、この発明に係る画像読取装置は、前記第１偏光手段が有する前記開口部は、前記正反射前光進行範囲外に形成されていることを特徴とする。
【００１４】
この発明では、第１偏光手段が有する開口部が、正反射前光進行範囲外に形成されているため、開口部から載置部に向けて照射される光は、被写体で正反射した場合でも撮像手段の方向には向かわなくなる。このため、撮像手段は被写体で正反射した正反射光を撮像しなくなる。従って、第１偏光手段に開口部を形成することにより被写体を容易に載置部に載置し、撮像手段で撮像することができるようにした場合でも、撮像手段で被写体を撮像した際に、より確実に鮮明な画像情報を得ることができる。この結果、より確実に鮮明な画像情報を容易に得ることができる。
【発明の効果】
【００１５】
本発明に係る画像読取装置は、より確実に鮮明な画像情報を容易に得ることができる、という効果を奏する。
【発明を実施するための最良の形態】
【００１６】
以下に、本発明に係る画像読取装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例】
【００１７】
図１は、本発明の実施例に係る画像読取装置の斜視図である。同図に示す画像読取装置１は、各種カードなどの原稿３を被写体として載置可能な載置部である原稿台５が設けられている。この原稿台５は、略直方体の形状で形成されており、略直方体が有する６面のうち、１つの面が原稿を載置する面である載置面６となっている。このため載置面６は、略長方形の形状で形成されている。
【００１８】
また、原稿台５の載置面６側には、第１偏光手段である第１偏光フィルタ１０が設けられている。この第１偏光フィルタ１０は、原稿台５を覆って設けられており、原稿台５の載置面６側を覆っている。また、この第１偏光フィルタ１０は、略長方形の形状で形成される載置面６の外周部分である４辺のうち３つの辺に、第１偏光フィルタ１０の骨格の役割を果たすフレーム２５を介して接続されている。詳しくは、載置面６の３つの辺にそれぞれ略矩形の板状の形状で形成された偏光素子からなる偏光板１１が、フレーム２５を介して接続されることにより原稿台５に接続されている。この３つの偏光板１１は、それぞれフレーム２５を介して隣り合う偏光板１１と接続されている。
【００１９】
また、偏光板１１における原稿台５に接続されている側の端部の反対側に位置する端部側には、原稿台５に載置された原稿３を撮像可能な撮像手段であるカメラ２０が設けられている。第１偏光フィルタ１０は、このようにカメラ２０が設けられていることにより、原稿台５に接続されている側の端部の反対側に位置する端部側が閉塞されている。これらにより、この第１偏光フィルタ１０は、原稿台５の載置面６側を覆って設けられている。
【００２０】
また、第１偏光フィルタ１０は、このように３つの偏光板１１が載置面６の３つの辺に接続されて設けられているため、載置面６の残りの１つの辺側には偏光板１１が設けられておらず、原稿台５の載置面６に対して開口している。第１偏光フィルタ１０のこの部分は、原稿台５に対して原稿３を載置する、及び原稿台５から原稿３を除去することが可能な開口部１５となっている。つまり、第１偏光フィルタ１０は開口部１５を有しており、開口部１５以外の部分は原稿台５を覆って設けられている。
【００２１】
また、第１偏光フィルタ１０を構成する偏光板１１は、当該偏光板１１に向けて照射される光の成分のうち、一方向の成分のみを透過可能に設けられている。このため、原稿台５を覆う第１偏光フィルタ１０は、原稿台５に照射される光の一方向の成分のみを透過する。詳しくは、第１偏光フィルタ１０を構成する偏光板１１のうち、互いに対向する２つの偏光板１１である側面偏光板１２同士は、透過する光の成分の方向が同じ方向になっている。これに対し、第１偏光フィルタ１０を構成する偏光板１１のうち、開口部１５が位置している部分の反対側に位置し、２つの側面偏光板１２の間に位置する偏光板１１である背面偏光板１３は、透過する光の成分の方向が、側面偏光板１２とは異なる方向になっている。
【００２２】
つまり、実施例に係る画像読取装置１では、２つの側面偏光板１２は、当該側面偏光板１２に照射される光の成分のうちカメラ２０方向と原稿台５方向とで振幅する振幅波、即ち、縦方向（図１矢印方向）に振幅する振幅波の成分のみを透過させることができるように設けられている。これに対し、背面偏光板１３は、当該背面偏光板１３に照射される光の成分のうち対向する２つの側面偏光板１２の方向に振幅する振幅波、即ち、横方向（図１矢印方向）に振幅する振幅波の成分のみを透過させることができるように設けられている。
【００２３】
また、原稿台５とカメラ２０との間には、第１偏光フィルタ１０と同様に、光の成分のうち、一方向の成分のみを透過する第２偏光フィルタ１８が設けられている。この第２偏光フィルタ１８は、第１偏光フィルタ１０と同様に一方向の光の成分のみを透過する偏光板により形成されている。詳しくは、この第２偏光フィルタ１８は、当該第２偏光フィルタ１８に照射される光の成分のうち、第１偏光フィルタ１０の背面偏光板１３方向と開口部１５方向とで振幅する（図１矢印方向）振幅波の成分のみを透過させることができるように設けられている。このように設けられる第２偏光フィルタ１８は、原稿台５を覆っている第１偏光フィルタ１０の内側に、原稿台５の載置面６の向きと略平行な向きでフレーム２５に接続されることにより配設されている。
【００２４】
図２は、図１のＡ−Ａ断面図である。また、第２偏光フィルタ１８における開口部１５側の端部には、光を遮ることができる遮光板１６が設けられている。この遮光板１６は、２つの側面偏光板１２における開口部１５側の端部同士の間で、且つ、大部分が第２偏光フィルタ１８よりも縦方向におけるカメラ２０側の位置に設けられており、２つの側面偏光板１２の方向における端部が側面偏光板１２に接続されている。また、この遮光板１６は、原稿台５側の端部が第２偏光フィルタ１８の近傍に位置しており、原稿台５側の端部の反対側に位置する端部が、カメラ２０を支持するフレーム２５に接続されている。このため、第２偏光フィルタ１８におけるカメラ２０側の面は、遮光板１６によって遮光板１６の外側に対して遮蔽されている。従って、第２偏光フィルタ１８におけるカメラ２０側の面は、遮光板１６の方向から第２偏光フィルタ１８に向かう光が遮光板１６によって遮光されている。
【００２５】
図３は、第１偏光フィルタが設けられている位置についての説明図である。第１偏光フィルタ１０は、原稿台５を覆って設けられているが、その位置は、原稿３が光を正反射する材料で形成されている場合における所定の範囲に設けられている。詳しくは、第１偏光フィルタ１０は、原稿台５の載置面６に照射される光が原稿３で正反射する場合における正反射光３１のうち、カメラ２０で撮像可能に正反射する正反射光３１の、反射前の光である正反射前光３２の進行範囲である正反射前光進行範囲３５に設けられている。
【００２６】
つまり、原稿３が光を正反射する材料からなる場合において第１偏光フィルタ１０と第２偏光フィルタ１８（図１参照）とが設けられていない場合、原稿台５の載置面６に照射される光は、原稿３に到達した際に原稿３で正反射する。原稿３で正反射した際の反射光である正反射光３１は、原稿３に対する反射角が入射角と同じ角度で反射し、カメラ２０が設けられている側に向かう。このように原稿３で正反射する正反射光３１のうち、一部の光はカメラ２０のレンズ２１からカメラ２０内に入り、カメラ２０が有するＣＣＤ（Charge Coupled Device）などの撮像素子２２に到達する。これにより、この正反射光３１はカメラ２０で撮像することができるが、このようにカメラ２０で撮像可能な正反射光３１は、カメラ２０や原稿台５の位置関係等の諸条件により所定の範囲内の正反射光３１となっている。
【００２７】
正反射前光進行範囲３５は、画像読取装置１の外部から原稿台５に向かい原稿３で正反射する前の正反射前光３２のうち、このようにカメラ２０で撮像可能な正反射光３１が原稿３で正反射する前の正反射前光３２の進行範囲となっている。換言すると、正反射前光進行範囲３５は、カメラ２０から原稿台５の載置面６までの距離の位置においてカメラ２０で撮像可能な範囲である撮像範囲Ｓを撮像する際に、この撮像範囲Ｓを撮像可能な角度範囲の１／２の角度である撮像可能角度θと等しい入射角θａで撮像範囲Ｓの端部に対して入射する光の範囲となっている。第１偏光フィルタ１０、即ち、第１偏光フィルタ１０が有する偏光板１１は、この正反射前光進行範囲３５に設けられている。
【００２８】
この実施例に係る画像読取装置１は、以上のごとき構成からなり、以下、その作用について説明する。図４は、図１の画像読取装置で原稿を撮像する際における光の進行状態を示す説明図である。この画像読取装置１は、画像読取装置１を使用する部屋に供えられる蛍光灯など、画像読取装置１の外部に光源（図示省略）がある空間で使用する。このため、画像読取装置１には、蛍光灯の光など画像読取装置１の外部からの光が照射され、画像読取装置１の外部からの光は、第１偏光フィルタ１０を透過して原稿台５の載置面６を照射する。
【００２９】
また、この画像読取装置１で各種カードなどの原稿３を撮像する際には、第１偏光フィルタ１０の開口部１５から原稿台５の載置面６に載置する。この載置面６は、第１偏光フィルタ１０を透過した光が照射するため、原稿３を原稿台５に載置した場合、この原稿３には第１偏光フィルタ１０を透過した光が照射されるが、第１偏光フィルタ１０は、光の成分のうち一方向の成分のみを透過する。つまり、第１偏光フィルタ１０が有する側面偏光板（図１参照）１２は、光の成分のうち縦方向に振幅する振幅波の成分のみを透過させることができるように設けられているため、側面偏光板１２は、この方向の光の成分のみを透過する。このため、側面偏光板１２を透過した光が原稿３に到達した場合には、この光は対向する２つの側面偏光板１２の方向、即ち横方向に振幅する成分となって到達する。
【００３０】
また、第１偏光フィルタ１０が有する背面偏光板（図１参照）１３は、光の成分のうち横方向に振幅する振幅波の成分のみを透過させることができるように設けられているため、背面偏光板１３は、この方向の光の成分のみを透過する。このため、背面偏光板１３を透過した光が原稿３に到達した場合には、この光は対向する２つの側面偏光板の方向である横方向に振幅する成分となって到達する。つまり、側面偏光板１２と背面偏光板１３を透過した光の成分は、共に対向する２つの側面偏光板１２の方向に振幅する成分、即ち、横方向に振幅する成分となって到達する。
【００３１】
この方向の成分の光が原稿３に到達した場合において、原稿３の表面が光を正反射する材質となっている場合、一部の光は拡散反射し、一部の光は正反射する。このうち、拡散反射した光である拡散反射光４１は、原稿３に対する入射角に関係なく、不特定のあらゆる方向に拡散しながら反射する。このように原稿３で拡散反射した拡散反射光４１の一部は、第２偏光フィルタ１８の方向に向かう。ここで、光が拡散反射をする場合には、反射する方向が拡散して反射すると同時に、光の振幅波の振幅方向も、あらゆる方向に変化して反射する。
【００３２】
拡散反射光４１は、このように振幅方向があらゆる方向に振幅した状態で第２偏光フィルタ１８に向かうが、この第２偏光フィルタ１８は、第１偏光フィルタ１０の背面偏光板１３方向と開口部１５方向とで振幅する振幅波の成分のみを透過させることができるように設けられている（図１参照）。つまり、第２偏光フィルタ１８は、画像読取装置１を開口部１５側から見た場合における奥行き方向に振幅する振幅波の成分のみを透過させることができるように設けられている。このため、拡散反射光４１が第２偏光フィルタ１８に到達した場合には、拡散反射光４１は、奥行き方向に振幅する振幅波の成分のみが透過する。このように原稿３で拡散反射し、第２偏光フィルタ１８を透過した光は、その後カメラ２０の方向に向かってカメラ２０の内部に入り、このカメラ２０が有する撮像素子２２に到達する。これにより、カメラ２０は、原稿３で拡散反射した拡散反射光４１によって原稿３を撮像する。
【００３３】
このように、カメラ２０に向かい、カメラ２０で撮像する際における光として用いられる拡散反射光４１に対し、原稿３で正反射した光である正反射光３１は、原稿３に対する入射角とほぼ等しい反射角で反射する。これにより、原稿３で正反射した正反射光３１の一部は、原稿３に対する入射角とほぼ等しい反射角で反射して第２偏光フィルタ１８の方向に向かう。
【００３４】
また、光が正反射をする場合には、光の振幅波の振幅方向も、反射面に入射した方向のまま反射するため、原稿３で正反射する正反射光３１の振幅波の振幅方向も、原稿３に入射した方向のまま反射する。つまり、第１偏光フィルタ１０が有する側面偏光板１２と背面偏光板１３を透過した光の成分は、共に横方向に振幅する成分となって到達するため、原稿３で正反射する正反射光３１の振幅波の振幅方向も、対向する２つの側面偏光板の方向、即ち横方向になる。第１偏光フィルタ１０を透過した光のうち、原稿３で正反射した光は、このように第１偏光フィルタ１０で偏光されることにより光の振幅方向が一定の方向になった正反射光３１である第１偏光正反射光４２となっている。
【００３５】
第１偏光正反射光４２は、このように振幅方向が横方向に振幅した状態で第２偏光フィルタ１８に向かうが、この第２偏光フィルタ１８は、奥行き方向に振幅する振幅波の成分のみを透過させることができるように設けられている（図１参照）。つまり、第２偏光フィルタ１８は、第１偏光フィルタ１０を透過した光のうち原稿３で正反射した光である第１偏光正反射光４２が入射する際に第１偏光正反射光４２の成分の方向と交差する方向の成分のみを透過可能になっている。このため、第１偏光正反射光４２が第２偏光フィルタ１８に到達した場合には、第１偏光正反射光４２は第２偏光フィルタ１８を透過することができず、第２偏光フィルタ１８に遮られる。このため、第１偏光フィルタ１０を透過し、原稿３で正反射した第１偏光正反射光４２はカメラ２０に到達せず、カメラ２０では撮像されない。
【００３６】
なお、画像読取装置１を用いて原稿を撮像する場合には、画像読取装置１を操作する人は、開口部１５から原稿３を載置面６に出し入れするため、画像読取装置１の開口部１５側に立つ。このため、画像読取装置１の外部からの光は、開口部１５から原稿台５の載置面６には照射し難くなっている。従って、第１偏光フィルタ１０に開口部１５が設けられている場合でも、画像読取装置１の外部からの光は原稿３で正反射し難くなっているため、開口部１５から照射された光が原稿３で正反射し、この正反射した光をカメラ２０では撮像し難くなっている。
【００３７】
また、開口部１５のカメラ２０寄りの位置には、遮光板１６が設けられている。このため、画像読取装置１の外部から画像読取装置１に照射される光のうち、遮光板１６の方向から第２偏光フィルタ１８に向かう光は、遮光板１６によって遮られるため、この方向からの光は、第２偏光フィルタ１８には到達しない。従って、遮光板１６の方向から第２偏光フィルタ１８に向かう光は、第２偏光フィルタ１８で反射しないため、カメラ２０では撮像されない。
【００３８】
以上の画像読取装置１は、被写体である原稿３を載置する原稿台５を覆うことによって原稿台５に照射される光の一方向の成分のみを透過する第１偏光フィルタ１０が設けられているため、画像読取装置１の外部から原稿台５に向けて照射される光の一方向の成分のみを透過する、即ち、偏光することができる。さらに、原稿台５とカメラ２０との間には、原稿３で正反射した第１偏光正反射光４２の成分の方向と交差する方向の成分のみを透過する第２偏光フィルタ１８が設けられている。このため、第１偏光正反射光４２が第２偏光フィルタ１８に入射した際には、第１偏光正反射光４２は大部分が第２偏光フィルタ１８を透過することができなくなる。これにより、第１偏光正反射光４２はカメラ２０に届かなくなるので、カメラ２０で撮像されなくなる。従って、カメラ２０には第１偏光フィルタ１０を透過し、原稿３で正反射した正反射光３１である第１偏光正反射光４２が到達しなくなるので、カメラ２０で原稿３を撮像した際に光源の映り込みを抑制することができ、テカリを抑制することができるため、鮮明な画像情報を得ることができる。
【００３９】
また、原稿台５を第１偏光フィルタ１０で覆っているため、この第１偏光フィルタ１０と第２偏光フィルタ１８との作用により、画像読取装置１の外部から原稿台５に向かい、原稿３で正反射した第１偏光正反射光４２をカメラ２０に到達させなくすることができる一方、原稿３で拡散反射した光である拡散反射光４１は、第２偏光フィルタ１８を透過することができる。これにより、カメラ２０は、この拡散反射光４１で原稿３を撮像することができる。従って、光源となる照明手段を設けることなく、画像読取装置１の外部から照射される光を用いて、原稿３を容易に撮像することができる。また、第１偏光フィルタ１０には開口部１５を設けているので、原稿３を容易に原稿台５に載置し、カメラ２０で撮像することができる。これらの結果、より確実に鮮明な画像情報を容易に得ることができる。
【００４０】
また、第１偏光フィルタ１０は正反射前光進行範囲３５に設けられているため、カメラ２０で撮像可能に正反射することができる方向に進行する光を、原稿３で正反射する前に第１偏光フィルタ１０で偏光することができる。これにより、原稿３で正反射した正反射光３１は、第１偏光フィルタ１０で偏光した後の正反射光３１である第１偏光正反射光４２になるため、より確実に第２偏光フィルタ１８で遮ることができる。従って、より確実に、カメラ２０での撮像時における光源の映り込みを抑制し、テカリを抑制することができる。これらの結果、より確実に鮮明な画像情報を得ることができる。
【００４１】
図５は、本発明の変形例に係る画像読取装置の概略図である。なお、実施例に係る画像読取装置１では、第１偏光フィルタ１０が有する開口部１５は、背面偏光板１３の対向する位置に偏光板１１が設けられていないことにより形成されているのみであるが、この開口部１５は、正反射前光進行範囲３５外に形成されているのが望ましい。このように第１偏光フィルタ１０が有する開口部１５を正反射前光進行範囲３５外に形成することにより、開口部１５から原稿台５の載置面６に向けて照射される光は、原稿３で正反射した場合でもカメラ２０の方向には向かわなくなる。つまり、開口部１５から原稿台５の載置面６に向かい、原稿３で正反射した光である開口部正反射光５０は、カメラ２０の方向に向かわなくなる。このためカメラ２０は、原稿３で正反射した開口部正反射光５０を撮像しなくなる。従って、第１偏光フィルタ１０に開口部１５を形成することにより原稿３を容易に原稿台５の載置面６に載置し、カメラ２０で撮像することができるようにした場合でも、カメラ２０で原稿３を撮像した際に、より確実に鮮明な画像情報を得ることができる。この結果、より確実に鮮明な画像情報を容易に得ることができる。
【００４２】
図６は、本発明の変形例に係る画像読取装置の概略図である。また、実施例に画像読取装置１では、第２偏光フィルタ１８はカメラ２０と原稿台５との間の位置で、フレーム２５に接続されることにより配設されているが、第２偏光フィルタはフレーム２５に接続されること以外の方法で設けられていてもよい。例えば、図６に示すように、第２偏光フィルタ６０は、カメラ２０が有するレンズ２１の筐体であるレンズ筒２３の先端に取り付けてもよい。つまり、レンズ筒２３におけるレンズ２１の原稿台５側の位置に、第２偏光フィルタ６０を取り付けてもよい。これにより、第２偏光フィルタ６０は原稿台５の載置面６とカメラ２０のレンズ２１との間に位置することになるため、原稿３で正反射し、カメラ２０の方向に向かう第１偏光正反射光４２を第２偏光フィルタ６０で遮ることができる。従って、第１偏光正反射光４２はカメラ２０のレンズ２１に到達しなくなるので、カメラ２０で原稿３を撮像した際に光源の映り込みを抑制することができ、テカリを抑制することができるため、鮮明な画像情報を得ることができる。
【産業上の利用可能性】
【００４３】
以上のように、本発明に係る画像読取装置は、カード類などの被写体をカメラで撮像することにより被写体の画像情報を簡易に読み取る画像読取装置に有用であり、特に、撮像時のテカリを抑制する場合に適している。
【図面の簡単な説明】
【００４４】
【図１】本発明の実施例に係る画像読取装置の斜視図である。
【図２】図１のＡ−Ａ断面図である。
【図３】第１偏光フィルタが設けられている位置についての説明図である。
【図４】図１の画像読取装置で原稿を撮像する際における光の進行状態を示す説明図である。
【図５】本発明の変形例に係る画像読取装置の概略図である。
【図６】本発明の変形例に係る画像読取装置の概略図である。
【符号の説明】
【００４５】
１  画像読取装置
３  原稿
５  原稿台
６  載置面
１０  第１偏光フィルタ
１１  偏光板
１２  側面偏光板
１３  背面偏光板
１５  開口部
１６  遮光板
１８、６０  第２偏光フィルタ
２０  カメラ
２１  レンズ
２２  撮像素子
２３  レンズ筒
２５  フレーム
３１  正反射光
３２  正反射前光
３５  正反射前光進行範囲
４１  拡散反射光
４２  第１偏光正反射光
５０  開口部正反射光
【図１】
2009141511.tif 000003
【図２】
2009141511.tif 000004
【図３】
2009141511.tif 000005
【図４】
2009141511.tif 000006
【図５】
2009141511.tif 000007
【図６】
2009141511.tif 000008